(57)【要約】【課題】トレイのイジェクトしている場合において光ピックアップからのレーザ光の出射を防止する。【解決手段】光ディスク装置１は、光ピックアップ２１が搭載されたドロワ３と、このドロワ３を出し入れ自在に収容するキャビネット７と、ドロワ３に設けられ、キャビネット７に対するドロワ３の出し入れ方向の相対位置に応じて移動する接触部８３を有するイジェクトシャフト８２と、ドロワ３に設けられ、イジェクトシャフト８２の接触部８３と接触してキャビネット７に対するドロワ３の収容状態を検出する検出スイッチ８１と、この検出スイッチ８１による検出結果に基づいて、光ピックアップ２１からのレーザ光の出射を制御するプロセッサ７２と、検出スイッチ８１を覆うようにドロワ３に取り付けられたドロワ蓋１７とを備える。【選択図】図５
2005222656.tif 000002
【特許請求の範囲】
【請求項１】
光ディスクが搭載されるトレイと、
このトレイに搭載された前記光ディスクにレーザ光を照射して情報の読み出し及び／又は書き込みを行う光ピックアップと、
前記トレイを出し入れ自在に収容する筐体と、
前記トレイに設けられ、前記筐体に対する該トレイの出し入れ方向の相対位置に応じて移動する接触部を有する可動部材と、
前記トレイに設けられ、前記可動部材の前記接触部と接触して前記筐体に対する前記トレイの収容状態を検出する検出スイッチと、
この検出スイッチによる検出結果に基づいて、前記光ピックアップからのレーザ光の出射を制御する制御部と、
前記検出スイッチを覆うように前記トレイに取り付けられたカバー部材と
を具備することを特徴とする光ディスク装置。
【請求項２】
前記トレイには、
前記光ディスクに回転力を与えるディスクモータが搭載された第１の基板と、
前記光ピックアップの駆動回路が少なくとも搭載され、前記第１の基板にケーブルを通じて接続された第２の基板とがさらに設けられ、
前記検出スイッチは、前記第２の基板に実装されていることを特徴する請求項１記載の光ディスク装置。
【請求項３】
前記可動部材は、前記トレイの出し入れ方向に軸方向を向けて配置され、前記筐体内への前記トレイの収容状態で該トレイの外形部分から突出する先端部で前記筐体の内壁面を押圧するイジェクトシャフトであって、
前記トレイに固定され、且つ前記接触部を前記軸方向から挟むように対向する一対の軸受部により前記可動部材を前記トレイの出し入れ方向に移動自在に支持するシャフトガイド部材と、
前記トレイの取り出し側に位置する一方の前記軸受部と前記可動部材の前記接触部との間に介挿された付勢部材と
をさらに具備することを特徴とする請求項１記載の光ディスク装置。
【請求項４】
前記トレイには、前記光ピックアップと、この光ピックアップのスレッド送り機構と、前記光ディスクを回転駆動するディスク駆動機構とをユニット化したディスク記録／再生ユニットが搭載され、
前記カバー部材は、前記検出スイッチとともに前記ディスク記録／再生ユニットを覆うことを特徴とする請求項１記載の光ディスク装置。
【請求項５】
前記制御部は、前記スレッド送り機構及び前記ディスク駆動機構の作動をさらに制御することを特徴とする請求項４記載の光ディスク装置。
【発明の詳細な説明】
【技術分野】
【０００１】
本発明は、光ディスクの記録／再生を行うための光ディスク装置に関する。
【背景技術】
【０００２】
一般に、ノートブック型のパーソナルコンピュータ等に搭載される光ディスク装置は、光ディスクに対し情報の記録／再生を行うディスク記録／再生ユニットが搭載されたドロワと呼ばれるディスクトレイと、このディスクトレイを収容可能な筐体としてのキャビネットとを備える構造のものが知られている。
【０００３】
このタイプの光ディスク装置は、装置本体の薄型化を図れるように、光ピックアップを有するディスク記録／再生ユニットが上述したようにディスクトレイ側に配置されているので、キャビネットからディスクトレイがイジェクトした場合には、光ピックアップが装置外部に露出する構造となる。このため、イジェクト時に例えば光ピックアップから誤ってレーザ光が出射されてしまう誤作動等を防止するために、キャビネット内に対するディスクトレイの収容／排出を検出するためのイジェクト検出スイッチを設けた光ディスク装置が提案されている（例えば、特許文献１参照）。
【特許文献１】特開２００３−２９６９９８号公報
【発明の開示】
【発明が解決しようとする課題】
【０００４】
ここで、このような光ディスク装置では、ディスクトレイに配線基板を介して取り付けられた検出スイッチを、筐体としてのシャーシケース側に設けた作動片に接触させることで、ディスクトレイのイジェクト動作が検出されている。したがって、上記した従来装置では、トレイ側とケース側との部品の位置精度等が光ピックアップの誤作動等に影響を与え易い構造となっている。すなわち、シャーシケース側に対しトレイをスムーズに出し入れするために予め設けられているケース、トレイ間のクリアランスや、ケース内にトレイを収容してロックさせるためのトレイの出し入れ方向のオーバーストローク等の影響を常に受けるかたちで、ディスクトレイのイジェクト動作が検出されることになり、イジェクトの検出精度の面で課題を抱えている。
【０００５】
そこで本発明は、上記課題を解決するためになされたもので、比較的簡単な構成で、トレイがイジェクトした際の光ピックアップの誤作動等を確実に抑制することができる光ディスク装置の提供を目的とする。
【課題を解決するための手段】
【０００６】
上記目的を達成するために、本発明に係る光ディスク装置は、光ディスクが搭載されるトレイと、このトレイに搭載された前記光ディスクにレーザ光を照射して情報の読み出し及び／又は書き込みを行う光ピックアップと、前記トレイを出し入れ自在に収容する筐体と、前記トレイに設けられ、前記筐体に対する該トレイの出し入れ方向の相対位置に応じて移動する接触部を有する可動部材と、前記トレイに設けられ、前記可動部材の前記接触部と接触して前記筐体に対する前記トレイの収容状態を検出する検出スイッチと、この検出スイッチによる検出結果に基づいて、前記光ピックアップからのレーザ光の出射を制御する制御部と、前記検出スイッチを覆うように前記トレイに取り付けられたカバー部材とを具備することを特徴とする。
【０００７】
すなわち、この発明では、筐体に対するトレイの収容状態を検出する検出スイッチと、トレイの出し入れ動作に連動して検出スイッチに接触しこれを押下する接触部を持つ可動部材とが共にトレイに設けられているので、筐体とトレイと間のクリアランスや、筐体内にトレイを収容しつつロックさせるためのオーバーストローク等の影響を極力受けることなく、筐体内へのトレイの収容状態を検出することができる。これにより、この発明によれば、比較的簡単な構成で、トレイがイジェクトしたことを精度良く検出でき、光ピックアップの誤作動等を確実に抑制することができる。
【０００８】
また、本発明に係る光ディスク装置は、前記トレイには、前記光ディスクに回転力を与えるディスクモータが搭載された第１の基板と、前記光ピックアップの駆動回路が少なくとも搭載され、前記第１の基板にケーブルを通じて接続された第２の基板とがさらに設けられ、前記検出スイッチが、前記第２の基板に実装されていることを特徴する。
【０００９】
つまり、この発明では、ディスクモータが搭載される第１の基板が設けられたトレイ側に、光ピックアップの駆動回路が搭載される第２の基板を共に配置したことで、第１及び第２の基板間の信号伝送用のケーブルを短縮することが可能となる。これにより、各基板間のケーブルがノイズ等の影響を受け難くなるので、光ディスクの高倍速の記録／再生等を好適に行うことができる。
【００１０】
さらに、本発明に係る光ディスク装置は、前記可動部材が、前記トレイの出し入れ方向に軸方向を向けて配置され、前記筐体内への前記トレイの収容状態で該トレイの外形部分から突出する先端部で前記筐体の内壁面を押圧するイジェクトシャフトであって、前記トレイに固定され、且つ前記接触部を前記軸方向から挟むように対向する一対の軸受部により前記可動部材を前記トレイの出し入れ方向に移動自在に支持するシャフトガイド部材と、前記トレイの取り出し側に位置する一方の前記軸受部と前記可動部材の前記接触部との間に介挿された付勢部材とをさらに具備することを特徴とする。
【００１１】
すなわち、本発明では、筐体内へのトレイの収容状態において、接触部と一方の軸受部との間に介挿された付勢部材と協働しつつ筐体内から取り出される方向にトレイを付勢するイジェクトシャフトを流用（共用）して、トレイのイジェクトを検出できるので、部品点数の削減による構造の簡略化や製造コストの低減を図ることができる。
【００１２】
また、本発明に係る光ディスク装置は、前記トレイには、前記光ピックアップと、この光ピックアップのスレッド送り機構と、前記光ディスクを回転駆動するディスク駆動機構とをユニット化したディスク記録／再生ユニットが搭載され、前記カバー部材は、前記検出スイッチとともに前記ディスク記録／再生ユニットを覆うことを特徴とする。
この発明によれば、ディスク記録／再生ユニットの例えば物理的な保護目的やまた当該ユニットに帯電し得る静電気等の除去に用いられるカバー部材等を共用して、検出スイッチを覆い隠すことができる。これにより、上記発明と同様に部品点数の削減による構造の簡略化や製造コストの低減を図りつつ、光ピックアップの誤作動等を抑制することができる。
【００１３】
ここで、本発明においては、光ピックアップからのレーザ光の出射を制御する制御部が、さらに光ピックアップのスレッド送り機構や光ディスクを回転させるディスク駆動機構の作動をさらに制御するものであってもよい。これにより、トレイのイジェクト時のスレッド送り機構やディスク駆動機構の誤作動等も抑制され、ユーザ側にとっての安全性をより高めることができる。
【発明の効果】
【００１４】
このように、本発明によれば、比較的簡単な構成で、トレイがイジェクトした際の光ピックアップの誤作動等を確実に抑制することができる。
【発明を実施するための最良の形態】
【００１５】
以下、本発明を実施するための最良の形態を図面に基づき説明する。
図１は、本発明の実施形態に係る光ディスク装置を示す斜視図、図２は、この光ディスク装置を背面側からみた斜視図、図３は、この光ディスク装置の分解斜視図、図４は、この光ディスク装置の平面図、図５は、この光ディスク装置が備えるレーザ光出射防止機構（ドロワのイジェクト時）を背面側からみた図、図６は、図５に示すレーザ光出射防止機構のドロワの収容時の状態を背面側からみた図である。
【００１６】
図１ないし図４に示すように、この光ディスク装置１は、例えばノートブック型のＰＣに搭載可能な薄型構造のディスクドライブ装置であって、光ディスク （図示せず）を記録／再生するためのディスク記録／再生ユニット２が搭載されたディスクトレイとしてのドロワ３と、このドロワ３を収容可能な筐体であるキャビネット５とから主に構成されている。
【００１７】
キャビネッ５は、上蓋としての上側キャビネット６と、ドロワ３を矢印Ｘ１−Ｘ２方向に出し入れ自在（挿抜自在）とする搬入出機構等が設けられた下側キャビネット７（以下、単に「キャビネット７」と称する）とを備えている。キャビネット７の両側内壁には、ドロワ３をガイド支持するための断面コの字状のガイドレール８、９が各々固定されている。これらガイドレール８、９には、さらに、スライドレール１０、１１がスライド自在に固定されている。ドロワ３は、両側に設けられたガイド突起１２、１４の先端部ａ１、ｂ１が、スライドレール１０、１１の先端部ａ２、ｂ２より各々嵌め込まれた形態でキャビネット７に支持されている。
【００１８】
キャビネット７の両側内壁には、ドロワ３をガイド支持するための断面コの字状のガイドレール８、９が各々固定されている。これらガイドレール８、９には、さらに、スライドレール１０、１１がスライド自在に固定されている。ドロワ３は、両側に設けられたガイド突起１２、１４の先端部ａ１、ｂ１が、スライドレール１０、１１の先端部ａ２、ｂ２より各々嵌め込まれた形態でキャビネット７に支持されている。
【００１９】
ドロワ３には、キャビネット７内へのドロワ３の収容状態のロック／アンロックを行うイジェクトロック機構１５や、上述したガイド突起１２、１４を備えた樹脂製のトレー１６と、光 ディスク の記録又は再生を光 学的に行う上述したディスク 記録／再生ユニット２と、このディスク 記録／再生ユニット２を外部から保護するように覆う金属製のドロワ蓋１７とが設けられている。
【００２０】
イジェクトロック機構１５は、光ディスク の記録／再生を行う場合において、ドロワ３をキャビネット７の奥まで挿入するとロックが掛かり、一方、ユーザがイジェクトボタン１８を押した場合にロック状態が解除される。ディスク記録／再生ユニット２を覆う保護部材としてのドロワ蓋１７は、腐食・キズ防止用の塗料がコーティングされた例えばアルミニウム製の板材等を金型加工により成形したものである。
【００２１】
ディスク 記録／再生ユニット２には、ディスクチャッキング機構１９に装着された光 ディスクを駆動するディスクモータ２０と、光 ディスクにレーザ光 を照射して情報の記録／再生を行うピックアップ２１と、このピックアップ２１をディスクの半径方向に搬送するピックアップ送り機構等が搭載されている。このようなディスク記録／再生ユニット２と前述したドロワ蓋１７とは、図示しないフローティング機構を介しビス２２によりディスク搭載部１６に共締めされている。
【００２２】
また、ドロワ３には、図４ないし図６に示すように、第１の基板としてのモータ基板６２と第２の基板であるメイン基板６３とが設けられている。モータ基板６２には、ディスクモータ２０が搭載されている。メイン基板６３には、ディスクモータ２０をＰＷＭ出力にてそれぞれ駆動制御するディスクモータドライブＩＣ６４が実装されている。また、ディスクモータ２０とディスクモータドライブＩＣ６４とは、専用のＦＰケーブルにより電気的に接続されている。
【００２３】
さらに、メイン基板６３には、フィードモータ６０、及び光ピックアップ２１のアクチュエータをＰＷＭ出力にてそれぞれ駆動制御するフィードモータドライブＩＣ６５、及びアクチュエータドライブＩＣ６６と、ＣＤ−ＲＯＭドライブを全体的に制御するためのプロセッサ７２、ＲＦアンプ回路、及びメモリをはじめ、ホストコンピュータとの接続用のピンコネクタ７４と電気的接続をとるための基板接続用ＦＰケーブル６７の接続用コネクタ等が実装されている。なお、フィードモータ６０、及びアクチュエータ（光ポックアップ２１）と、これらの駆動用の各ＩＣとは、各々専用のフィードモータ用ＦＰケーブル、及びアクチュエータ用ＦＰケーブルにより電気的に接続されている。
【００２４】
ここで、モータ基板６２が設けられたドロワ３側に、メイン基板６３を共に配置したことで、モータ基板６２及びメイン基板６３間で駆動回路等の信号伝送用ケーブルを実質的に削除できるので、各基板間のケーブルがノイズ等の影響を受け難くなり、これにより例えば光ディスクの高倍速の記録／再生等を好適に行うことができる。
【００２５】
次に、本実施形態に係る光ディスク装置１に設けられたレーザ光出射防止機構について主に図５及び図６を用いて説明する。
すなわち、レーザ光出射防止機構８０は、ドロワ３に設けられ、キャビネット７に対するドロワ３の出し入れ方向の相対位置に応じて移動する接触部８３を有するイジェクトシャフト８２と、ドロワ３に搭載されたメイン基板６３（メイン基板６３におけるドロワ蓋１７と対向する面）上に設けられ、イジェクトシャフト８２の接触部８３と接触してキャビネット７に対するドロワ３の収容状態を検出する検出スイッチ８１と、この検出スイッチ８１による検出結果に基づいて、光ピックアップ２１からのレーザ光の出射を制御する制御部として機能するプロセッサ７２と、検出スイッチ８１を覆うようにドロワ３に取り付けられた上記ドロワ蓋１７とを備えている。つまり、プロセッサ７２は、ドロワ３のイジェクト状態では、光ピックアップ２１からレーザ光が出射されないように制御を行う。また、ドロワ蓋１７は、光ディスク装置の外部から誤ってユーザが検出スイッチ８１を押してしまわないように、検出スイッチ８１を装置の外部に対して覆い隠す。
【００２６】
詳細には、イジェクトシャフト８２は、ドロワ３の出し入れ方向Ｘ２−Ｘ１方向に自身の軸方向を向けて配置されており、キャビネット７内へのドロワ３の収容状態でドロワ３の外形部分から突出する自身の先端部でキャビネット７の内壁面を押圧する。さらに、レーザ光出射防止機構８０は、シャフトガイド部材８６と、圧縮ばね８７とを備えている。シャフトガイド部材８６は、ドロワ３に固定され、且つ接触部８３をイジェクトシャフト８２の軸方向から挟むように対向する一対の軸受部８４、８５により、イジェクトシャフト８２をドロワ３の出し入れ方向Ｘ２−Ｘ１方向に移動自在に支持する。また、圧縮ばね８７は、ドロワ３の取り出し側（矢印Ｘ２方向）に位置する一方の軸受部８５と、イジェクトシャフト８２の接触部８３との間に介挿された付勢部材である。
【００２７】
このように構成されたレーザ光出射防止機構８０を備える光ディスク装置１では、キャビネット７に対するドロワ３の収容状態を検出する検出スイッチ８１と、ドロワ３の出し入れ動作に連動して検出スイッチ８１に接触しこれを押下する接触部８３を持つイジェクトシャフト８２等とが共にドロワ３に設けられているので、キャビネット７とドロワ３と間のクリアランスや、キャビネット７内にドロワ３を収容しつつロックさせるためのオーバーストローク等の影響を極力受けることなく、キャビネット７内へのドロワ３の収容状態を検出することができる。
【００２８】
これにより、光ディスク装置１によれば、比較的簡単な構成で、ドロワ３がイジェクトしたことを精度良く検出できるので、光ピックアップ２１からの誤ったレーザ光の出射等を確実に防止することができる。また、光ディスク装置１によれば、イジェクトシャフト８２や、ディスク記録／再生ユニット２を覆うドロワ蓋１７を流用（共用）して、レーザ光出射防止機構８０を実現しているので、部品点数の削減による構造の簡略化や製造コストの低減を図ることができる。
【００２９】
なお、図５、図６に示したレーザ光出射防止機構８０に代えて図７〜図９に示すレーザ光出射防止機構９０を適用してもよい。ここで、図７は、レーザ光出射防止機構９０を光ディスク装置１の背面側からみた図、図８は、レーザ光出射防止機構９０の断面（Ａ−Ａ断面）図、図９は、レーザ光出射防止機構９０を示す斜視図である。
レーザ光出射防止機構９０は、スイッチング部がその軸方向に突出／埋没するプッシュスイッチ９１を適用した例であり、このプッシュスイッチ９１を、ドロワ３における挿入方向（矢印Ｘ１方向）の先端側に配置し、プッシュスイッチ９１先端のスイッチング部と、キャビネット７の内壁面に設けた接触部材９２とを、ドロワ３の収容状態で接触させるようにしたものである。詳細には、プッシュスイッチ９１は、ドロワ３上のメイン基板６３上に実装されており、プッシュスイッチ９１は、その外形部分が専用の断面コの字状のカバー部材９３に覆われている。このようなレーザ光出射防止機構９０によっても、光ピックアップ２１からの誤ったレーザ光の出射等を防止することが可能である。
【００３０】
以上、本発明を実施の形態により具体的に説明したが、本発明は前記実施形態にのみ限定されるものではなく、その要旨を逸脱しない範囲で種々変更可能である。また、上述した実施形態では、光ディスクの種類については特に述べなかったが、例えばＣＤ、ＣＤ−ＲＯＭ、ＣＤ−Ｒ、ＣＤ−ＲＷ、ＤＶＤ、ＤＶＤ−ＲＯＭ、ＤＶＤ−Ｒ、ＤＶＤ−ＲＷ、ＤＶＤ−ＲＡＭ等を記録／再生可能な、あらゆる光ディスク装置に本発明を適用することができる。また、上記実施形態では、光ピックアップ２１からのレーザ光の出射を制御する制御部としてプロセッサ７２を適用しているので、このプロセッサ７２を用いて、光ピックアップ２１のスレッド送り機構や光ディスクを回転させるディスク駆動機構の作動をドロワ３の収容状態に応じて制御するようにしてもよい。これにより、トレイのイジェクト時のスレッド送り機構やディスク駆動機構の誤作動等も抑制され、ユーザ側にとっての安全性をより高めることができる。
【産業上の利用可能性】
【００３１】
本発明は、例えばＭＯやＭＤ等の光磁気ディスクの記録再生装置等に適用することも可能である。
【図面の簡単な説明】
【００３２】
【図１】本発明の実施形態に係る光ディスク装置を示す斜視図。
【図２】図１に示す光ディスク装置を背面側からみた斜視図。
【図３】図１に示す光ディスク装置の分解斜視図。
【図４】図１に示す光ディスク装置の平面図。
【図５】図１に示す光ディスク装置が備えるレーザ光出射防止機構（ドロワのイジェクト時）を背面側からみた図。
【図６】図５に示すレーザ光出射防止機構のドロワの収容時の状態を背面側からみた図。
【図７】図５の機構と構造の異なる他のレーザ光出射防止機構を背面側からみた図。
【図８】図７に示すレーザ光出射防止機構の断面（Ａ−Ａ断面）図。
【図９】図７のレーザ光出射防止機構を示す斜視図。
【符号の説明】
【００３３】
１…光ディスク装置、２…ディスク記録／再生ユニット、３…ドロワ、５…キャビネット、７…（下側）キャビネット、１７…ドロワ蓋、２１…ピックアップ、８０…レーザ光出射防止機構、８１…検出スイッチ、８２…イジェクトシャフト、８６…シャフトガイド部材、８７…圧縮ばね。
【図１】
2005222656.tif 000003
【図２】
2005222656.tif 000004
【図３】
2005222656.tif 000005
【図４】
2005222656.tif 000006
【図５】
2005222656.tif 000007
【図６】
2005222656.tif 000008
【図７】
2005222656.tif 000009
【図８】
2005222656.tif 000010
【図９】
2005222656.tif 000011